(57)【要約】【課題】支持ボルトに対する螺合が容易で、かつ被締結部材の収縮によっても締結力が緩まないコンパクトな支持ボルト用締結具を提供する。【解決手段】筒体４に支持ボルト２が挿通するボルト挿入孔５ａを穿設した底面５と、前記支持ボルト２の雄ネジ２ａに螺合する雌ネジ８ａが内側面に形成され、周方向に複数分割した駒部材８よりなる環状の係止手段７を配置する収納室６とを設け、前記収納室６に前記係止手段７を軸方向の下方に向かって付勢する弾性手段９を設置した締結具３であって、  前記駒部材８のそれぞれの外側面に上方より前記底面５の前記ボルト挿入孔５ａの中央に向かって傾斜する凹溝８ｂを形成し、この凹溝８ｂに嵌り込む凸部６ａを前記収納室６の内周壁に設けるとともに、前記支持ボルト２の前記雄ねじ２ａの１ピッチに対して、前記駒部材８の前記雌ネジ８ａを１／２ピッチとして前記係止手段７を前記支持ボルト２に螺合させることよりなる。【選択図】図３
2018194161.tif 000002
【特許請求の範囲】
【請求項１】
筒体に支持ボルトが挿通するボルト挿入孔を穿設した底面と、前記支持ボルトの雄ネジに螺合する雌ネジが内側面に形成され、周方向に複数分割した駒部材よりなる環状の係止手段を配置する収納室とを設け、前記収納室に前記係止手段を軸方向の下方に向かって付勢する弾性手段を設置した締結具であって、
前記駒部材のそれぞれの外側面に上方から前記底面の前記ボルト挿入孔の中央に向かって傾斜する凹溝を形成し、この凹溝に嵌り込む凸部を前記収納室の内周壁に設けるとともに、前記支持ボルトの前記雄ねじの１ピッチに対して、前記駒部材の前記雌ネジを１／２ピッチとして前記係止手段を前記支持ボルトに螺合させることを特徴とする支持ボルト用締結具。
【請求項２】
前記駒部材の軸方向の高さに対して、前記収納室の内周壁に設けた前記凸部の高さを低くするとともに、前記凹溝を前記駒部材の横幅の中央に位置させたことを特徴とする請求項１に記載の支持ボルト用締結具。
【請求項３】
前記筒体の下端の外周にフランジを径方向に突出させるとともに、このフランジの上面より高い位置で、前記フランジの外径の範囲内になるよう前記筒体の外周にカシメ可能な突起を設けることを特徴とする請求項１又は請求項２に記載の支持ボルト用締結具。
【請求項４】
前記被締結部材に固定する取付け板に開口を穿設し、前記取付け板を前記開口より前記筒体に挿入し、前記フランジの上面に接合した前記開口の周縁を前記突起のカシメにより、前記取付け板と前記フランジとの離接を規制するとともに、前記取付け板に対して前記筒体を回転可能に連結することを特徴とする請求項３に記載の支持ボルト用締結具。
【発明の詳細な説明】
【技術分野】
【０００１】  この発明は、被締結部材における振動や、径年変化による収縮により生じる締結具の緩みを防止するようにした支持ボルト用締結具に関する。
【背景技術】
【０００２】  従来、例えば木造建築、コンクリート建築などの建築構造物における被締結部材はボルト及びナットで連結している。この連結ではボルトの挿通作業とナットの回転作業が必要であり、狭い場所でのこの作業が困難である上に、多数のボルト及びナットで連結する場合は、その連結に時間がかかり非能率的である。
そのため、ナット内に分割され、押圧バネにより付勢したナットセグメントを設け、ボルトを回転することなくボルトをナット内へ挿入することで連結できるようにしたナットが提案されている。（特許文献１参照）。
【先行技術文献】
【特許文献】
【０００３】
【特許文献１】実公昭５５−４８１７１号公報
【発明の概要】
【発明が解決しようとする課題】
【０００４】  この特許文献１に記載のナットでは、ナット内に分割されたナットセグメントをテーパ孔内に収納しているので、接触面による摩擦抵抗が大きくてナットセグメントの作動が悪くなり、しかも、セグメントの作動を良くするにはテーパ孔について高い加工精度が必要であった。【０００５】  この発明は、以上のようなことを考慮してなされたもので、被締結部材における振動や、径年変化による収縮に対して緩み止めが確実に行われ、しかも、収縮量の微小な変化に追従でき、コンパクトで製作が容易な支持ボルト用締結具を提供することを目的とする。
【課題を解決するための手段】
【０００６】  前記課題を解決し、かつ目的を達成するために、この発明は、以下のように構成した。【０００７】  請求項１に記載の発明は、筒体に支持ボルトが挿通するボルト挿入孔を穿設した底面と、前記支持ボルトの雄ネジに螺合する雌ネジが内側面に形成され、周方向に複数分割した駒部材よりなる環状の係止手段を配置する収納室とを設け、前記収納室に前記係止手段を軸方向の下方に向かって付勢する弾性手段を設置した締結具であって、
前記駒部材のそれぞれの外側面に上方から前記底面の前記ボルト挿入孔の中央に向かって傾斜する凹溝を形成し、この凹溝に嵌り込む凸部を前記収納室の内周壁に設けるとともに、前記支持ボルトの前記雄ねじの１ピッチに対して、前記駒部材の前記雌ネジを１／２ピッチとして前記係止手段を前記支持ボルトに螺合させることを特徴とする支持ボルト用締結具である。【０００８】  請求項２に記載の発明は、前記駒部材の軸方向の高さに対して、前記収納室の内周壁に設けた前記凸部の高さを低くするとともに、前記凹溝を前記駒部材の横幅の中央に位置させたことを特徴とする請求項１に記載の支持ボルト用締結具である。【０００９】  請求項３に記載の発明は、前記筒体の下端の外周にフランジを径方向に突出させるとともに、このフランジの上面より高い位置で、前記フランジの外径の範囲内になるよう前記筒体の外周にカシメ可能な突起を設けることを特徴とする請求項１又は請求項２に記載の支持ボルト用締結具である。【００１０】  請求項４に記載の発明は、前記被締結部材に固定する取付け板に開口を穿設し、前記取付け板を前記開口より前記筒体に挿入し、前記フランジの上面に接合した前記開口の周縁を前記突起のカシメにより、前記取付け板と前記フランジとの離接を規制するとともに、前記取付け板に対して前記筒体を回転可能に連結することを特徴とする請求項３に記載の支持ボルト用締結具である。
【発明の効果】
【００１１】  前記構成により、この発明は、以下のような効果を有する。【００１２】  請求項１に記載の発明では、筒体に支持ボルトが挿通するボルト挿入孔を穿設した底面と、前記支持ボルトの雄ネジに螺合する雌ネジが内側面に形成され、周方向に複数分割した駒部材よりなる環状の係止手段を配置する収納室とを設け、前記収納室に前記係止手段を軸方向の下方に向かって付勢する弾性手段を設置した締結具であって、
前記駒部材のそれぞれの外側面に上方から前記底面の前記ボルト挿入孔の中央に向かって傾斜する凹溝を形成し、この凹溝に嵌り込む凸部を前記収納室の内周壁に設けるとともに、前記支持ボルトの前記雄ねじの１ピッチに対して、前記駒部材の前記雌ネジを１／２ピッチとして前記係止手段を前記支持ボルトに螺合させるので、前記駒部材が前記凹溝と、この凹溝に嵌り込む前記凸部により前記駒部材を径方向へ移動して、前記支持ボルトに対して前記駒部材の噛合い・解除ができ、前記締結具を回転操作することはなく、しかも、前記ボルトの前記雄ねじの１ピッチに対して、前記駒部材の前記雌ネジが１／２ピッチになることにより、前記雄ネジの前記ネジ溝に前記雌ネジのネジ山の２つが螺合し、前記被締結部材の少ない収縮量において確実に締結できるとともに、前記雌ネジのネジ山の高さが低いため、前記雄ネジのネジ山を乗り越え易く、前記支持ボルトに対して迅速に前記締結具の前記駒部材を噛合せ・解除できる。【００１３】  請求項２に記載の発明では、前記駒部材の軸方向の高さに対して、前記収納室の内周壁に設けた前記凸部の高さを低くするとともに、前記凹溝を前記駒部材の横幅の中央に位置させたので、前記凸部が前記駒部材の上面に突出することがなく、前記弾性手段の下端が前記駒部材のそれぞれの上面全体に当接し、前記弾性手段の付勢力は前記駒部材のそれぞれに均等に作用することになり、しかも、前記駒部材が左右バランスよく支持され、前記駒部材の径方向の移動が円滑にでき、前記支持ボルトの雄ネジと前記駒部材の雌ネジとの噛合いと解除が確実になる。【００１４】  請求項３に記載の発明では、前記筒体の下端の外周にフランジを径方向に突出させるとともに、このフランジの上面より高い位置で、前記フランジの外径の範囲内になるよう前記筒体の外周にカシメ可能な突起を設けるので、前記フランジにより座面面積を大きくなり、面積当たりの圧力が下がり、前記支持ボルトのゆるみを防ぐことができ、しかも、前記筒体４を回転操作用する工具の挿入位置決めができ、前記筒体４の狭い場所での回転操作がし容易になる。【００１５】  請求項４に記載の発明では、前記被締結部材に固定する取付け板に開口を穿設し、前記取付け板を前記開口より前記筒体に挿入し、前記フランジの上面に接合した前記開口の周縁を前記突起のカシメにより、前記取付け板と前記フランジとの離接を規制するとともに、前記取付け板に対して前記筒体を回転可能に連結するので、前記被締結部材に固定した前記取付け板に対し、前記筒体を手操作などで更に締め方向に回動することにより、前記筒体の強固な締着ができる。
【図面の簡単な説明】
【００１６】
【図１】この発明における第１の実施の態様を示す側面図。
【図２】図１におけるＡ−Ａ線の断面図。
【図３】図２におけるＢ−Ｂ線の断面図。
【図４】この発明における支持ボルトに対する噛合い状態を示す拡大断面図。
【図５】この発明における支持ボルトに対する解除状態を示す拡大断面図。
【図６】この発明における第２の実施の態様を示す側面図。
【発明を実施するための形態】
【００１７】  以下、この発明における締結装置の実施の形態について説明する。この発明の実施の形態は、発明の最も好ましい形態を示すものであり、この発明はこれに限定されない。
【００１８】  この発明における第１の実施の形態を、図１および図４に基づいて説明する。図１は締結具を実施した一例を示すもので、符号３で示されるものは、径年変化により収縮する木製の建築物や、懸架台などの被締結部材１より突出する支持ボルト２に螺合する締結具よりなる。
【００１９】  前記締結具３は、前記支持ボルト２が挿通するボルト挿入孔５ａを穿設した底面５と、前記支持ボルト２が螺合する前記ボルト嵌合孔７ａを有する環状の係止手段７が配置される収納室６とを備える六角形状の筒体４によって構成される。
なお、前記収納室６の内周壁と前記係止手段７の外周との間に隙間を有してもよい。
【００２０】  前記係止手段７は、周方向に複数に分割された駒部材８よりなり、この駒部材８の内周面に前記支持ボルト２の雄ネジ２ａに噛合う雌ネジ８ａが形成され、この雌ネジ８ａは前記支持ボルト２の前記雄ネジ２ａの１ピッチに対して１／２ピッチとしている。なお、支持ボルトが大径になると、１ピッチの支持ボルトに対して３〜５ピッチの雌ネジにできる。
【００２１】  前記駒部材８のそれぞれの外周面には、前記駒部材８の上方から前記ボルト挿入孔５ａの中央に向かって傾斜する凹溝８ｂが形成され、この凹溝８ｂは前記駒部材８の横幅Ｗの中央に位置させる。
【００２２】  前記凹溝８ｂには、前記収納室６の内周壁に設けた凸部６ａが嵌り込む。これにより、前記筒体４が軸方向に変位すると、前記駒部材８が径方向に移動し、前記係止手段７の前記ボルト嵌合孔７ａが拡径するので、前記支持ボルト２の前記雄ネジ２ａと前記駒部材８の前記雌ネジ８ａとの噛合いが解除される。
【００２３】  前記駒部材８の縦方向の高さｈ１に対して、前記収納室６の内周壁に設けた前記凸部６ａの軸方向の高さｈ２を低くするとともに、前記凹溝８ｂの上端８ｃを前記凸部６ａの先端に当接させる。
【００２４】  前記駒部材８のそれぞれは前記収納室６の内周壁に設けた仕切り部６ｂによって、互いの前記駒部材８の周方向の動きを規制する。なお、前記雌ネジ８ａが前記支持ボルト２の前記雄ネジ２ａに噛合う円弧範囲を大きくしたい場合は、前記仕切り部６ｂを設けなくてもよい。
【００２５】  前記収納室６には、前記係止手段７を前記筒体４の前記底面５に向かって付勢するコイルスプリングよりなる弾性手段９が、前記係止手段７と前記筒体４の上端に固着した蓋１０との間に介在される。
【００２６】  前記筒体４の下端の外周には、断面円錐台形状のフランジ１１を半径方向に突出させる。このフランジ１１の下面と前記筒体４の前記底面５とを面一にすることにより、前記被締結部材１に対する着座範囲が広く確保でき、締結力の向上になる。
【００２７】  前記フランジ１１の上面より高い位置で、前記フランジ１１の外径の範囲内になるよう前前記筒体４の外周にカシメ可能な突起１２を設け、この突起１２により前記筒体４を回転操作するボックスレンチやトルクレンチ等の工具の挿入位置決めができ、前記筒体４の狭い場所での回転操作がし容易になる
【００２８】  符号１３は前記被締結部材１に固定する取付け板で、この取付け板１３には周縁をテーパ面１４ａとする開口１４を穿設し、前記筒体４を前記開口１４より挿通し、前記フランジ１１の上面に前記開口１４の周縁の前記テーパ面１４ａを接合させる。
【００２９】  前記開口１４の周縁には前記突起１２を通過する切欠き１４ｂを設け、この切欠き１４ｂが前記突起１２を通過した後、前記突起１２を専用工具により潰し、前記取付け板１３を前記フランジ１１にカシメて、前記筒体４が前記取付け板１３に対して回転可能に連結する。
【００３０】  これにより、前記フランジ１１の上面に接合した前記取付け板１３の離接が規制され、前記取付け板１３の前記開口１４のテーパ面１４ａと、前記フランジ１１の上面とが斜面接合し、前記筒体４が前記取付け板１３に対して回転する。
【００３１】  前記フランジ１１の上面と、前記開口１４の周縁の前記テーパ面１４ａとの斜面接合は連結の密着性が良く、前記開口１４の周縁が容易に製作できる。なお、符号１５は前記取付け板１３を前記被締結部材１に固定する木ネジである。
【００３２】  次に、前記締結具３を前記支持ボルト２に螺合し、前記締結具３の前記筒体４が前記取付け板１３により前記被締結部材１に固定された際の作動について説明する。
【００３３】  まず、前記取付け板１３の前記開口１４より前記取付け板１３を前記筒体４に挿入し、前記突起１２を前記開口１４の周縁の前記切欠き１４ｂより通過させ、前記開口１４の周縁を前記フランジ１１の上面に重ね合わせ、前記突起１２を専用工具により潰し、前記取付け板１３を前記フランジ１１にカシメ、前記筒体４を前記取付け板１３に対して回転可能に連結し、前記被締結部材１に固定した前記取付け板１３に対し、前記筒体４を手操作などで更に締め方向に回動して前記筒体４を強固な締着する。
【００３４】  図４の（ａ）に示すように、前記支持ボルト２の前記雄ネジ２ａと前記駒部材８の前記雌ネジ８ａとが噛合った状態より、前記被締結部材１が収縮すると、前記筒体４が下方に変位し、前記凸部６ａの傾斜に沿って前記駒部材８が図４の（ｂ）に示すように前記収納室６の内壁面に向かって移動し、前記ボルト嵌合孔７ａが拡径するので、前記支持ボルト２の前記雄ネジ２ａと前記駒部材８の前記雌ネジ８ａとの噛合いが解除される。
【００３５】  そして解除された後、前記弾性手段９の付勢力により前記駒部材８が下方に押圧され、前記凸部６ａの傾斜に沿って前記収納室６の中央に向かって前記駒部材８が移動し、前記ボルト嵌合孔７ａが縮径するので、前記支持ボルト２の前記雄ネジ２ａと前記駒部材８の前記雌ネジ８ａとが噛合う。
【００３６】  前記雄ネジ２ａの１ピッチに対して前記駒部材８の前記雌ネジ８ａを１／２ピッチしたことにより、前記支持ボルト２の前記雄ネジ２ａのネジ溝に前記駒部材８の前記雌ネジ８ａの２つのネジ山が噛合っており、前記被締結部材１の収縮により、２つのネジ山のうち１つのネジ山が前記雄ネジ２ａのネジ山を乗り越え、前記支持ボルト２の前記雄ネジ２ａに前記駒部材８の前記雌ネジ８ａが噛合う。
【００３７】  次に、第２の実施の形態を、図５に基づいて説明する。この実施の形態において第１の実施の形態と同じ構成は同一の符号を付して説明する。
【００３８】  この第２の実施の形態では、第１の実施の形態で説明している前記締結具３の前記筒体４が前記被締結部材１に備えた前記支持ボルト２に螺合しており、前記筒体４は第１の実施の形態と同じ構成である。
【００３９】  この実施の形態では、前記筒体４が第１の実施の形態と異なり、前記取付け板１３を介して前記被締結部材１に連結されるのでなく、前記筒体４は前記被締結部材１に直接連結されている。
【００４０】  前記支持ボルト２に緩み止め機能（図示せず）を備えるナット１６を装着させ、このナット１６と前記筒体４との間に圧縮スプリング１７を介在させて、前記筒体４を前記被締結部材１に押圧する。
【００４１】  これにより、前記筒体４は第１の実施の形態の前記取付け板１３により固定されているのと同じような状態となり、前記被締結部材１が収縮すると、前記筒体４は前記圧縮スプリング１７に押されて移動することになり、前記被締結部材１の収縮に対応できる。
【００４２】  以上の構成における締結具において、前記ボルト挿入孔５ａの中央に向かって傾斜する前記凹溝８ｂと、この凹溝８ｂに嵌り込む前記凸部６ａとにより、前記駒部材８を径方向に移動するようにし、前記締結具３を回転操作することがなく、前記支持ボルト２に対し前記駒部材８の噛合いと解除ができ、しかも、前記雄ネジ２ａのネジ溝に対して雌ネジ８ａの２つのネジ山で螺合することになり、前記被締結部材１の少量の収縮においても確実に対応できるとともに、前記雌ネジ８ａのネジ山の高さが低いので、前記雄ネジ２ａのネジ山を乗り越え易く迅速に前記締結具３を前記支持ボルト２に螺合できる。
【００４３】  また、前記駒部材８の軸方向の高さｈ１に対して、前記収納室６の内周壁に設けた前記凸部６ａの高さｈ２が低くなっても、前記凸部６ａを嵌め込む前記凹溝８ｂを前記駒部材８の横幅Ｗの中央に位置させることにより、前記駒部材８を左右バランスよく支持でき、前記駒部材８の移動を阻害することはなく、しかも、前記駒部材８の軸方向の高さｈ１により、前記収納室６の内周壁に設けた前記凸部６ａの軸方向の高さｈ２を低くすると、前記凸部６ａが前記駒部材８の上面に突出することがなく、前記弾性手段９の下端が前記駒部材８のそれぞれの上面全体に当接し、前記弾性手段９の付勢力は前記駒部材８のそれぞれに均等に作用する。
【００４４】  さらに、前記筒体４の下端の外周において半径方向に突出する前記フランジ１１により座面面積を大きくし、前記フランジ１１により座面面積を大きくなり、面積当たりの圧力が下がり、前記支持ボルト２のゆるみを防ぐことができるとともに、前記フランジ１１の上面より高い位置で、前記フランジ１１の外径の範囲内なるよう前記筒体４の外周に設けたカシメ可能な突起１２なので、前記筒体４を回転操作する工具の挿入位置決めができ、前記筒体４の狭い場所での回転操作がし容易になるとともに、前記取付け板１３の前記開口４の周縁を前記フランジ１１の上面に接合し、前記取付け板１３と前記フランジ１１との離接を規制するとともに、前記取付け板１３に対して前記筒体４を回転可能に連結することにより、前記被締結部材１に固定した取付け板１３に対し、前記筒体４を手作業の操作などで更に締め方向に回動することができ、前記筒体４が強固に締結される。
【産業上の利用可能性】
【００４５】  この発明は、支持ボルトに対する螺合が容易で、かつ被締結部材の収縮によっても締結力が緩まないコンパクトな支持ボルト用締結具である。
【符号の説明】
【００４６】１    被締結部材
２    支持ボルト
２ａ  雄ネジ
３    締結具
４    筒体
５    底面
５ａ  ボルト挿入孔
６    収納室
６ａ  凸部
６ｂ  仕切り部
７    係止手段
７ａ  ボルト嵌合孔
８    駒部材
８ａ  雌ネジ
８ｂ  凹溝
８ｃ  上端
９    弾性手段（コイルスプリング）
１０    蓋
１１    フランジ
１２    突起
１３    取付け板
１４    開口
１４ａ  テーパ面
１４ｂ  切欠き
１５    木ネジ
１６    ナット
１７    圧縮スプリング
Ｗ      駒部材の横幅
ｈ１    駒部材の高さ
ｈ２    凸部の高さ
【図１】
2018194161.tif 000003
【図２】
2018194161.tif 000004
【図３】
2018194161.tif 000005
【図４】
2018194161.tif 000006
【図５】
2018194161.tif 000007
【図６】
2018194161.tif 000008
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
筒体に支持ボルトが挿通するボルト挿入孔を穿設した底面と、前記支持ボルトの雄ネジに螺合する雌ネジが内側面に形成され、周方向に複数分割した駒部材よりなる環状の係止手段を配置する収納室とを設け、前記収納室に前記係止手段を軸方向の下方に向かって付勢する弾性手段を設置した締結具であって、
前記駒部材のそれぞれの外側面に上方から前記底面の前記ボルト挿入孔の中央に向かって傾斜する凹溝を形成し、この凹溝に嵌り込む凸部を前記収納室の内周壁に設けるとともに、前記支持ボルトの前記雄ねじの１ピッチに対して、前記駒部材の前記雌ネジを１／２ピッチとして前記係止手段を前記支持ボルトに螺合させることを特徴とする支持ボルト用締結具。
【請求項２】
前記駒部材の軸方向の高さに対して、前記収納室の内周壁に設けた前記凸部の高さを低くするとともに、前記凹溝を前記駒部材の横幅の中央に位置させたことを特徴とする請求項１に記載の支持ボルト用締結具。
【請求項３】
前記筒体の下端の外周にフランジを径方向に突出させるとともに、このフランジの上面より高い位置で、前記フランジの外径の範囲内になるよう前記筒体の外周に、被締結部材に固定する取付け板と前記フランジの上面との離接を規制するようにカシメ可能な突起を設けることを特徴とする請求項１又は請求項２に記載の支持ボルト用締結具。
【請求項４】
前記被締結部材に固定する前記取付け板に開口を穿設し、前記取付け板を前記開口より前記筒体に挿入し、前記フランジの上面に接合した前記開口の周縁を前記突起のカシメにより、前記取付け板と前記フランジとの離接を規制するとともに、前記取付け板に対して前記筒体を回転可能に連結することを特徴とする請求項３に記載の支持ボルト用締結具。
【手続補正２】
【補正対象書類名】明細書
【補正対象項目名】０００９
【補正方法】変更
【補正の内容】
【０００９】  請求項３に記載の発明は、前記筒体の下端の外周にフランジを径方向に突出させるとともに、このフランジの上面より高い位置で、前記フランジの外径の範囲内になるよう前記筒体の外周に、被締結部材に固定する取付け板と前記フランジの上面との離接を規制するようにカシメ可能な突起を設けることを特徴とする請求項１又は請求項２に記載の支持ボルト用締結具である。
【手続補正３】
【補正対象書類名】明細書
【補正対象項目名】００１０
【補正方法】変更
【補正の内容】
【００１０】  請求項４に記載の発明は、前記被締結部材に固定する前記取付け板に開口を穿設し、前記取付け板を前記開口より前記筒体に挿入し、前記フランジの上面に接合した前記開口の周縁を前記突起のカシメにより、前記取付け板と前記フランジとの離接を規制するとともに、前記取付け板に対して前記筒体を回転可能に連結することを特徴とする請求項３に記載の支持ボルト用締結具である。
【手続補正４】
【補正対象書類名】明細書
【補正対象項目名】００１４
【補正方法】変更
【補正の内容】
【００１４】  請求項３に記載の発明では、前記筒体の下端の外周にフランジを径方向に突出させるとともに、このフランジの上面より高い位置で、前記フランジの外径の範囲内になるよう前記筒体の外周に、被締結部材に固定する取付け板と前記フランジの上面との離接を規制するようにカシメ可能な突起を設けるので、前記フランジにより座面面積を大きくなり、面積当たりの圧力が下がり、前記支持ボルトのゆるみを防ぐことができ、しかも、前記筒体を回転操作用する工具の挿入位置決めができ、前記筒体の狭い場所での回転操作がし容易になる。
【手続補正５】
【補正対象書類名】明細書
【補正対象項目名】００１５
【補正方法】変更
【補正の内容】
【００１５】  請求項４に記載の発明では、前記被締結部材に固定する前記取付け板に開口を穿設し、前記取付け板を前記開口より前記筒体に挿入し、前記フランジの上面に接合した前記開口の周縁を前記突起のカシメにより、前記取付け板と前記フランジとの離接を規制するとともに、前記取付け板に対して前記筒体を回転可能に連結するので、前記被締結部材に固定した前記取付け板に対し、前記筒体を手操作などで更に締め方向に回動することにより、前記筒体の強固な締着ができる。